(57)【要約】【課題】低周波電気信号による刺激を神経を介して大脳皮質に伝達し、大脳皮質の機能低下（老化）を抑制する老化遅延装置を提供する。【解決手段】足裏に当接する１又は２個の足裏導子電極部と、足裏以外の肌の任意箇所に当接して使用できる複数のピン導子電極を植設してなるピン導子電極部が配設されたグリップ部と、前記足裏導子電極部と前記ピン導子電極部間に低周波電気信号を生成し印加するための人の呼吸周期に同期した矩形波状の第１の低周波信号に１Ｈｚ〜２００Ｈｚの第２の低周波信号、又は４００Ｈｚ〜６００Ｈｚの矩形波状の第３の低周波信号を重畳し、前記重畳する低周波信号のマイナス電位のピーク値がプラス電位のピーク値より大きな低周波電気信号として生成されるよう構成されている。【選択図】  図１
2013146369.tif 000002
【特許請求の範囲】
【請求項１】
低周波電気信号による刺激を神経を介して大脳皮質に伝達し、大脳皮質の機能低下（老化）を抑制する装置であって、
同装置は、前記低周波電気信号を生成する低周波信号生成手段と、同低周波信号生成手段に接続された身体の１部に当接してマイナス電位を付与する電極部と、身体の他方に当接してプラス電位を付与する電極部とを備え、
前記低周波信号生成手段は、前記マイナス電位のピーク値が前記プラス電位のピーク値より大きな低周波電気信号として生成されるように構成されてなることを特徴とする老化遅延装置。
【請求項２】
低周波電気信号による刺激を神経を介して大脳皮質に伝達し、大脳皮質の機能低下（老化）を抑制する装置であって、
足裏に当接する１又は２個の足裏導子電極部と、
足裏以外の肌の任意箇所に当接して使用できる複数のピン導子電極を植設してなるピン導子電極部が配設されたグリップ部と、
前記足裏導子電極部と前記ピン導子電極部間に前記低周波電気信号を生成し印加するための低周波信号生成手段と、
前記低周波信号生成手段が、人の呼吸周期に同期した矩形波状の第１の低周波信号及び、
１Ｈｚ〜２００Ｈｚの矩形波状の第２の低周波信号と４００Ｈｚ〜６００Ｈｚの矩形波状の第３の低周波信号とのいずれか一方、又は双方を生成し、
前記第１の低周波信号に第２の低周波信号、又は第３の低周波信号を重畳し低周波電気信号として出力する低周波信号重畳手段を備え、
前記低周波信号重畳手段が、前記重畳する低周波信号のマイナス電位のピーク値がプラス電位のピーク値より大きな低周波電気信号として生成されるよう構成されてなることを特徴とする請求項１に記載の老化遅延装置。
【請求項３】
低周波電気信号による刺激を神経を介して大脳皮質に伝達し、大脳皮質の機能低下（老化）を抑制する装置であって、
足裏以外の肌の任意箇所に当接して使用できる複数のピン導子電極を植設してなるピン導子電極部と握った手に当接する握持電極部が配設されたグリップ部と、
前記ピン導子電極部と前記握持電極部間に前記低周波電気信号を生成し印加するための低周波信号生成手段と、
前記低周波信号生成手段が、人の呼吸周期に同期した矩形波状の第１の低周波信号及び、
１Ｈｚ〜２００Ｈｚの矩形波状の第２の低周波信号と４００Ｈｚ〜６００Ｈｚの矩形波状の第３の低周波信号とのいずれか一方、又は双方を生成し、
前記第１の低周波信号に第２の低周波信号、又は第３の低周波信号を重畳し低周波電気信号として出力する低周波信号重畳手段を備え、
前記低周波信号重畳手段が、前記重畳する低周波信号のマイナス電位のピーク値がプラス電位のピーク値より大きな低周波電気信号として生成されるよう構成されてなることを特徴とする請求項１に記載の老化遅延装置。
【請求項４】
前記低周波信号生成手段が、前記低周波信号重畳手段をそれぞれ有するマイナス電位生成手段と、プラス電位生成手段を備え、
前記マイナス電位生成手段から出力された低周波電気信号を前記ピン導子電極部に印可し、前記プラス電位生成手段から出力された低周波電気信号を前記足裏導子電極部に印加してなることを特徴とする請求項１又は２に記載の老化遅延装置。
【請求項５】
前記低周波信号生成手段が、前記低周波信号重畳手段をそれぞれ有するマイナス電位生成手段と、プラス電位生成手段を備え、
前記マイナス電位生成手段から出力された低周波電気信号を前記ピン導子電極部に印可し、前記プラス電位生成手段から出力された低周波電気信号を前記握持電極部に印加してなることを特徴とする請求項１又は３に記載の老化遅延装置。
【請求項６】
前記低周波信号重畳手段が、前記第１の低周波信号に第２の低周波信号、又は第３の低周波信号の任意の１周波数、又は複数の周波数の組み合わせで重畳してなることを特徴とする請求項１〜５のいずれか１項に記載の老化遅延装置。
【請求項７】
前記低周波信号重畳手段が、前記第１の低周波信号に第２の低周波信号と第３の低周波信号を交互に重畳するよう構成されてなることを特徴とする請求項１〜５のいずれか１項に記載の老化遅延装置。
【請求項８】
前記低周波信号重畳手段が、前記重畳する低周波信号のマイナス電位のピーク値とプラス電位のピーク値とが所定の比率を保ってレベル制御された低周波電気信号を出力するよう構成されてなることを特徴とする請求項１〜７のいずれか１項に記載の老化遅延装置。
【請求項９】
前記低周波信号重畳手段が、前記重畳する低周波信号のマイナス電位のピーク値とプラス電位のピーク値との比率を７：３に保ってレベル制御された低周波電気信号を出力するよう構成されてなることを特徴とする請求項１〜７のいずれか１項に記載の老化遅延装置。
【請求項１０】
請求項１〜９のいずれか１項に記載の老化遅延装置が、
前記足裏導子電極部と前記ピン導子電極部間、又は前記ピン導子電極部と前記握持電極部間に印加する前記低周波電気信号の電位のバランスを制御するためのバランス制御手段を備え、
前記バランス制御手段が、前記マイナス電位生成手段と前記プラス電位生成手段から出力されるそれぞれの出力信号レベルを制御しバランスのとれた電気的刺激が得られる低周波電気信号を出力するよう構成されてなることを特徴とする老化遅延装置。
【請求項１１】
請求項１〜１０のいずれか１項に記載の老化遅延装置が、
赤、緑、青に発光する発光体のいずれか１色、又は複数色を選択してその輝度をそれぞれ制御できる照明手段を備え、
前記照明手段が、前記第１の低周波信号の出力レベルに応じて発光体の輝度を制御できることを特徴とする老化遅延装置。
【請求項１２】
請求項１〜１１のいずれか１項に記載の老化遅延装置が、音源手段としての再生手段、又は録音・再生手段と、拡声手段を備え、
前記第１の低周波信号に音源手段の再生出力信号を重畳して音声出力信号となし、かつ該重畳する音声出力信号を前記第１の低周波信号の出力レベルに応じて音声出力レベルを制御可能にしてなることを特徴とする老化遅延装置。
【請求項１３】
前記グリップ部が、前記ピン導子電極部に低周波数の機械的振動を与える振動波発生手段を備えてなることを特徴とする請求項１〜１２のいずれか１項に記載の老化遅延装置。
【発明の詳細な説明】
【技術分野】
【０００１】
本発明は、人の呼吸周期に同期した低周波信号に２波の低周波信号を重畳し人体に刺激を与えることによる老化遅延装置に関する。
【背景技術】
【０００２】
人体には臓器やその他の器官との密接な関連のあるつぼがあり、これらのつぼを刺激することによって対応する器官が間接的に刺激されて、様々な疾病の治療、又は予防、疲労回復といった効果が得られることが知られており、このために低周波電気信号によってつぼを刺激するマッサージ器具に関する技術が多々開示されている。
【０００３】
例えば、特開２００５−１３１２６０号公報の特許文献１はその特許請求の範囲で、「商用電源の電圧を最大略２５０ボルトまで昇圧させる高圧発生回路と、昇圧後に整流し平滑化する整流平滑回路と、この整流平滑回路により生成された電圧を、身体の抵抗の変動に対応させて自動的に変化させ、定量の直流電流を生成する電流制御回路とを備えた本体と、この本体に接続され、且つ、身体の刺激部位又はその近辺に圧接される関電極を備えたピストル型のプローブと、前記本体に接続され、且つ、身体の刺激部位以外に装着される不関電極とからなり、
前記ピストル型のプローブは、銃口模擬部から先端部が突出した状態で銃身模擬部の内部に収納されたスイッチ軸と、前記先端部に設けられたカップに取り付けられた関電極の吸水スポンジと、前記スイッチ軸を銃口模擬部方向に常時付勢するバネと、このバネに抗して前記スイッチ軸が押し込まれた場合に、その基端部が当接することで通電させる通電スイッチと、通電を遮断するため引金模擬部に配置された遮断スイッチと、通電を微調整するため前記銃身模擬部に配置されたボリウムとを備えたことを特徴とする電気刺激装置。」が開示されている。
【先行技術文献】
【特許文献】
【０００４】
【特許文献１】特開２００５−１３１２６０号
【発明の開示】
【発明が解決しようとする課題】
【０００５】
上記特許文献１の発明は、定量の直流電流を生成する電流制御回路を備え安全面に配慮されたものであるが、不関電極上に患者の足裏を載せ、ピストル型のプローブの突出した先端部の関電極を刺激部位に圧接して、治療電流が前記不関電極から前記関電極に０〜略６ｍＡまで流れ(電子は関電極から不関電極方向に移動するマイナス通電)、疼痛、筋肉痛、筋疲労、抹消の痺れ、肩こり等が緩和されるようになっている。
【０００６】
一方、人体に低周波信号電流を印加すると、電極間には体内の電気抵抗の低い順に信号電流が流れ、特に電気抵抗の低い血流に作用すると言われている。
血液には赤血球、白血球、血漿板等があり、特に赤血球は肺から得た酸素を取り込み、身体のすみずみの細胞に運び供給する役割を担い、また二酸化炭素の排出にも関わり、赤血球外面に出た部分には大量の糖鎖を有していて、この糖鎖の先端にはシアル酸があり、シアル酸はＣＯＯＨ基を持つために陰性荷電しているので同じ陰性荷電している赤血球同士や血管内皮細部との接着を防いだり、同じくシアル酸で覆われ陰性荷電している細菌の進入を防ぐ働きを持っている。
【０００７】
しかし、特許文献１は、商用電源の電圧を最大略２５０ボルトまで昇圧させる高圧発生回路と、昇圧後に整流し平滑化する整流平滑回路を有し、この整流平滑回路により生成された電圧を前記不関電極と関電極間にかけている。
回路図及び電極間の電子の流れる方向性から前記不関電極には昇圧させた最大略＋２５０ボルトを、関電極には零ボルトが印可されることになるため、赤血球に対し負の電荷を与えることはできない。
【０００８】
本発明は、かかる点に着目し、足裏に当接する足裏導子電極部と、肌の任意箇所に当接して使用できる複数のピン導子電極部間に低周波電気信号を生成し印加する際に、前記複数のピン導子電極部にマイナスの電位を積極的に印可し、人体の細胞約６０兆個へ酸素を供給し、かつ二酸化炭素を排出する赤血球に負の電荷を与える構造の老化遅延装置を提供しようとするものである。
【課題を解決するための手段】
【０００９】
本発明者は、上記に鑑み鋭意研究の結果、次の手段によりこの課題を解決した。
（１）低周波電気信号による刺激を神経を介して大脳皮質に伝達し、大脳皮質の機能低下（老化）を抑制する装置であって、
同装置は、前記低周波電気信号を生成する低周波信号生成手段と、同低周波信号生成手段に接続された身体の１部に当接してマイナス電位を付与する電極部と、身体の他方に当接してプラス電位を付与する電極部とを備え、
前記低周波信号生成手段は、前記マイナス電位のピーク値が前記プラス電位のピーク値より大きな低周波電気信号として生成されるように構成されてなることを特徴とする老化遅延装置。
（２）低周波電気信号による刺激を神経を介して大脳皮質に伝達し、大脳皮質の機能低下（老化）を抑制する装置であって、
足裏に当接する１又は２個の足裏導子電極部と、
足裏以外の肌の任意箇所に当接して使用できる複数のピン導子電極を植設してなるピン導子電極部が配設されたグリップ部と、
前記足裏導子電極部と前記ピン導子電極部間に前記低周波電気信号を生成し印加するための低周波信号生成手段と、
前記低周波信号生成手段が、人の呼吸周期に同期した矩形波状の第１の低周波信号及び、
１Ｈｚ〜２００Ｈｚの矩形波状の第２の低周波信号と４００Ｈｚ〜６００Ｈｚの矩形波状の第３の低周波信号とのいずれか一方、又は双方を生成し、
前記第１の低周波信号に第２の低周波信号、又は第３の低周波信号を重畳し低周波電気信号として出力する低周波信号重畳手段を備え、
前記低周波信号重畳手段が、前記重畳する低周波信号のマイナス電位のピーク値がプラス電位のピーク値より大きな低周波電気信号として生成されるよう構成されてなることを特徴とする前項（１）に記載の老化遅延装置。
（３）低周波電気信号による刺激を神経を介して大脳皮質に伝達し、大脳皮質の機能低下（老化）を抑制する装置であって、
足裏以外の肌の任意箇所に当接して使用できる複数のピン導子電極を植設してなるピン導子電極部と握った手に当接する握持電極部が配設されたグリップ部と、
前記ピン導子電極部と前記握持電極部間に前記低周波電気信号を生成し印加するための低周波信号生成手段と、
前記低周波信号生成手段が、人の呼吸周期に同期した矩形波状の第１の低周波信号及び、
１Ｈｚ〜２００Ｈｚの矩形波状の第２の低周波信号と４００Ｈｚ〜６００Ｈｚの矩形波状の第３の低周波信号とのいずれか一方、又は双方を生成し、
前記第１の低周波信号に第２の低周波信号、又は第３の低周波信号を重畳し低周波電気信号として出力する低周波信号重畳手段を備え、
前記低周波信号重畳手段が、前記重畳する低周波信号のマイナス電位のピーク値がプラス電位のピーク値より大きな低周波電気信号として生成されるよう構成されてなることを特徴とする前項（１）に記載の老化遅延装置。
（４）前記低周波信号生成手段が、前記低周波信号重畳手段をそれぞれ有するマイナス電位生成手段と、プラス電位生成手段を備え、
前記マイナス電位生成手段から出力された低周波電気信号を前記ピン導子電極部に印可し、前記プラス電位生成手段から出力された低周波電気信号を前記足裏導子電極部に印加してなることを特徴とする前項（１）又は（２）に記載の老化遅延装置。
（５）前記低周波信号生成手段が、前記低周波信号重畳手段をそれぞれ有するマイナス電位生成手段と、プラス電位生成手段を備え、
前記マイナス電位生成手段から出力された低周波電気信号を前記ピン導子電極部に印可し、前記プラス電位生成手段から出力された低周波電気信号を前記握持電極部に印加してなることを特徴とする前項（１）又は（３）に記載の老化遅延装置。
（６）前記低周波信号重畳手段が、前記第１の低周波信号に第２の低周波信号、又は第３の低周波信号の任意の１周波数、又は複数の周波数の組み合わせで重畳してなることを特徴とする前項（１）〜（５）のいずれか１項に記載の老化遅延装置。
（７）前記低周波信号重畳手段が、前記第１の低周波信号に第２の低周波信号と第３の低周波信号を交互に重畳するよう構成されてなることを特徴とする前項（１）〜（５）のいずれか１項に記載の老化遅延装置。に記載の老化遅延装置。
（８）前記低周波信号重畳手段が、前記重畳する低周波信号のマイナス電位のピーク値とプラス電位のピーク値とが所定の比率を保ってレベル制御された低周波電気信号を出力するよう構成されてなることを特徴とする前項（１）〜（７）のいずれか１項に記載の老化遅延装置。
（９）前記低周波信号重畳手段が、前記重畳する低周波信号のマイナス電位のピーク値とプラス電位のピーク値との比率を７：３に保ってレベル制御された低周波電気信号を出力するよう構成されてなることを特徴とする前項（１）〜（７）のいずれか１項に記載の老化遅延装置。
（１０）前項（１）〜（９）のいずれか１項に記載の老化遅延装置が、
前記足裏導子電極部と前記ピン導子電極部間、又は前記ピン導子電極部と前記握持電極部間に印加する前記低周波電気信号の電位のバランスを制御するためのバランス制御手段を備え、
前記バランス制御手段が、前記マイナス電位生成手段と前記プラス電位生成手段から出力されるそれぞれの出力信号レベルを制御しバランスのとれた電気的刺激が得られる低周波電気信号を出力するよう構成されてなることを特徴とする老化遅延装置。
（１１）前項（１）〜（１０）のいずれか１項に記載の老化遅延装置が、
赤、緑、青に発光する発光体のいずれか１色、又は複数色を選択してその輝度をそれぞれ制御できる照明手段を備え、
前記照明手段が、前記第１の低周波信号の出力レベルに応じて発光体の輝度を制御できることを特徴とする老化遅延装置。
（１２）前項（１）〜（１１）のいずれか１項に記載の老化遅延装置が、
音源手段としての再生手段、又は録音・再生手段と、拡声手段を備え、
前記第１の低周波信号に音源手段の再生出力信号を重畳して音声出力信号となし、かつ該重畳する音声出力信号を前記第１の低周波信号の出力レベルに応じて音声出力レベルを制御可能にしてなることを特徴とする老化遅延装置。
（１３）前記グリップ部が、前記ピン導子電極部に低周波数の機械的振動を与える振動波発生手段を備えてなることを特徴とする前項（１）〜（１２）のいずれか１項に記載の老化遅延装置。
【発明の効果】
【００１０】
本発明の老化遅延装置によれば、次のような効果が発揮される。
〈１〉低周波電気信号による刺激を神経を介して大脳皮質に伝達し、大脳皮質の機能低下（老化）を抑制する装置が、
前記低周波電気信号を生成する低周波信号生成手段と、同低周波信号生成手段に接続された身体の１部に当接してマイナス電位を付与する電極部と、身体の他方に当接してプラス電位を付与する電極部とを備え、
前記低周波信号生成手段は、前記マイナス電位のピーク値が前記プラス電位のピーク値より大きな低周波電気信号として生成されるように構成されているので、前記プラス電位を付与された電極部を足裏に当接し、前記マイナス電位を付与された電極部を肌の任意箇所に当接させて使用することにより皮膚下を流れる血管内の赤血球は強制的に負に帯電される。
その結果、赤血球は、その外面に出た部分には大量の糖鎖を有していて、この糖鎖の先端にはシアル酸があり、シアル酸はＣＯＯＨ基を持つために陰性荷電しているので同じ陰性荷電している赤血球同士や血管内皮細部との接着を防ぐことになり、所謂さらさら血流となって人体をめぐり、肺から得た酸素を身体のすみずみの細胞に運び、また二酸化炭素の排出を行うことにより、大脳皮質の細胞は活性化されるため老化を遅延させることができる。
【００１１】
また、従来、低周波電気信号として０〜＋２５０Ｖなど一方向にのみ電流が長時間流れる場合には、電極部が接触している肌に炎症を生じる恐れがあるが、本発明では肌に接触する両電極部にはマイナス電位のピーク値がプラス電位のピーク値より大きな電位で印可される結果、肌に炎症を生ずる恐れは極めて少ない。    
【００１２】
〈２〉前記〈１〉項の効果に加えて、
低周波電気信号による刺激を神経を介して大脳皮質に伝達し、大脳皮質の機能低下（老化）を抑制する老化遅延装置が、
足裏に当接する１又は２個の足裏導子電極部と、足裏以外の肌の任意箇所に当接して使用できる複数のピン導子電極を植設してなるピン導子電極部が配設されたグリップ部と、前記足裏導子電極部と前記ピン導子電極部間に前記低周波電気信号を生成し印加するための低周波信号生成手段と、前記低周波信号生成手段が、人の呼吸周期に同期した矩形波状の第１の低周波信号及び、１Ｈｚ〜２００Ｈｚの矩形波状の第２の低周波信号と４００Ｈｚ〜６００Ｈｚの矩形波状の第３の低周波信号とのいずれか一方、又は双方を生成し、前記第１の低周波信号に第２の低周波信号、又は第３の低周波信号を重畳し低周波電気信号として出力する低周波信号重畳手段を備え、前記低周波信号重畳手段が、前記重畳する低周波信号のマイナス電位のピーク値がプラス電位のピーク値より大きな低周波電気信号として生成されるよう構成されているので、
グリップ部に取り付けたピン導子電極部は複数のピン導子電極が植設されているため、グリップ部を握って肌の任意箇所に前記ピン導子電極部を圧接すれば自然と人体のつぼを指圧同様に刺激することになり、人の呼吸周期に同期した前記第１の低周波信号により誘発する腹式呼吸と、前記第１の低周波信号に重畳された第２の低周波信号、又は第３の低周波信号による刺激との相乗効果により、電気抵抗の少ないつぼに電気刺激が加えられるため、血流改善と共に電気パルス信号による心地よい体感刺激を与えることができ、この刺激感は神経細胞を通じ、約１４０億個と言われる大脳皮質の細胞に伝達され知覚、随意運動、思考、推理、記憶等脳の高次機能の活性化が図られ老化遅延に役立つ。
【００１３】
また、マイナス電位を付与された前記複数のピン導子電極部を肌の任意箇所に当接させて使用すると、皮膚下を流れる血管内の赤血球は強制的に負に帯電される。
その結果、赤血球は、その外面に出た部分には大量の糖鎖を有していて、この糖鎖の先端にはシアル酸があり、シアル酸はＣＯＯＨ基を持つために陰性荷電しているので同じ陰性荷電している赤血球同士や血管内皮細部との接着を防ぐことになり、所謂さらさら血流となって人体をめぐり、肺から得た酸素を身体のすみずみの細胞に運び、また二酸化炭素の排出を行うことにより、大脳皮質の細胞は活性化されるため老化を遅延させることができる。
【００１４】
さらに、前記シアル酸は、食事、加齢及び病気等によって１部の赤血球がプラス電位に変化し、プラス電荷が増加すると赤血球同士が結合し連鎖状となり、所謂どろどろ血流となるが、マイナス電位を付与された前記複数のピン導子電極部を肌の任意箇所に当接させて使用すると、皮膚下を流れる血管内の赤血球は強制的に負に帯電されることにより、さらさら血流に変化し、健康が維持され、結果として老化遅延につながる。
【００１５】
赤血球が強制的に負に帯電されることにより、同じくシアル酸で覆われ陰性荷電している細菌の進入を防ぐ働きを持っているため、病気、疫病等の予防に効果を発揮する。
【００１６】
足裏導子電極部と前記ピン導子電極部間に前記低周波電気信号が印可されるが、前記低周波信号重畳手段によって、第１の低周波信号に第２の低周波信号、又は第３の低周波信号が重畳されて出力された低周波電気信号のマイナス電位のピーク値がプラス電位のピーク値より大きな低周波電気信号として生成されるよう構成されているので、
従来、低周波電気信号として０〜＋２５０Ｖなど一方向にのみ電流が長時間流れる場合には、電極が接触している肌に炎症を生じる恐れがあるが、本発明では肌に接触する両電極にはマイナス電位のピーク値とプラス電位のピーク値が適度な比率で印可される結果、肌に炎症を生ずる恐れは極めて少ない。
【００１７】
人体には臓器やその他の器官との密接な関連のあるつぼが多数あり、治療目的とするつぼの的確な位置が不明であっても、グリップ部に取り付けたピン導子電極部は複数のピン導子電極が植設されているため、グリップ部を握って肌の任意箇所を圧接すれば、自然と目的とするつぼを含めて刺激することができる。
【００１８】
前記低周波信号生成手段が、人の呼吸周期に同期した矩形波状の第１の低周波信号を生成しているので、
前記足裏導子電極部と前記ピン導子電極部間に印加された第１の低周波電気信号による体感刺激により、自然と呼吸周期に同期した腹式呼吸を誘発することとなり、意識せずとも腹式呼吸が行われる結果、腹部を取り巻く腹横筋、背骨の横の突起から背骨の上につながっている多裂筋、呼吸をコントロールする横隔膜、及び肛門周囲で骨盤の底にある骨盤底筋群の４つの筋肉が同時に刺激され、筋力トレーニングが行われ老化を遅延させることができる。
【００１９】
前記低周波信号生成手段が、１Ｈｚ〜２００Ｈｚの矩形波状の低周波電気信号を生成しているので、前記足裏に当接する足裏導子電極部とグリップ部に取り付けたピン導子電極部間に印加することにより、グリップ部に取り付けたピン導子電極部を圧接した、特に手の甲、頭、顔、首、肩、足などの人体表面下の筋肉、神経を刺激すると同時にトリートメントを行うことができ、またマイナス電位による血行促進が図られ、かつ痛みを和らげることができる。
【００２０】
前記低周波信号重畳手段が、４００Ｈｚ〜６００Ｈｚの重畳波信号を生成しているので、
グリップ部に取り付けたピン導子電極部を圧接した人体の腹部など体内の深部筋のトリートメントを行うことができ、同時に、マイナス電位による血行促進が図られ、かつ痛みを和らげることができる。
【００２１】
〈３〉前記〈１〉項の効果に加えて、
低周波電気信号による刺激を神経を介して大脳皮質に伝達し、大脳皮質の機能低下（老化）を抑制する老化遅延装置が、
足裏以外の肌の任意箇所に当接して使用できる複数のピン導子電極を植設してなるピン導子電極部と握った手に当接する握持電極部が配設されたグリップ部と、
前記ピン導子電極部と前記握持電極部間に前記低周波電気信号を生成し印加するための低周波信号生成手段と、
前記低周波信号生成手段が、人の呼吸周期に同期した矩形波状の第１の低周波信号及び、
１Ｈｚ〜２００Ｈｚの矩形波状の第２の低周波信号と４００Ｈｚ〜６００Ｈｚの矩形波状の第３の低周波信号とのいずれか一方、又は双方を生成し、
前記第１の低周波信号に第２の低周波信号、又は第３の低周波信号を重畳し低周波電気信号として出力する低周波信号重畳手段を備え、
前記低周波信号重畳手段が、前記重畳する低周波信号のマイナス電位のピーク値がプラス電位のピーク値より大きな低周波電気信号として生成されるよう構成されているので、
グリップ部に取り付けたピン導子電極部は複数のピン導子電極が植設されているため、グリップ部を握って肌の任意箇所に前記ピン導子電極部を圧接すれば自然と人体のつぼを指圧同様に刺激することになり、人の呼吸周期に同期した前記第１の低周波信号により誘発する腹式呼吸と、前記第１の低周波信号に重畳された第２の低周波信号、又は第３の低周波信号による刺激との相乗効果により、電気抵抗の少ないつぼに電気刺激が加えられるため、血流改善と共に電気パルス信号による心地よい体感刺激を与えることができ、この刺激感は神経細胞を通じ、約１４０億個と言われる大脳皮質の細胞に伝達され知覚、随意運動、思考、推理、記憶等脳の高次機能の活性化が図られ老化遅延に役立つ。
【００２２】
また、マイナス電位を付与された前記複数のピン導子電極部を肌の任意箇所に当接させて使用すると、皮膚下を流れる血管内の赤血球は強制的に負に帯電される。
その結果、赤血球は、その外面に出た部分には大量の糖鎖を有していて、この糖鎖の先端にはシアル酸があり、シアル酸はＣＯＯＨ基を持つために陰性荷電しているので同じ陰性荷電している赤血球同士や血管内皮細部との接着を防ぐことになり、所謂さらさら血流となって人体をめぐり、肺から得た酸素を身体のすみずみの細胞に運び供給でき、また二酸化炭素の排出を行うことにより、大脳皮質の細胞は活性化されるため老化を遅延させることができる。
【００２３】
さらに、前記シアル酸は、食事、加齢及び病気等によってプラス電位に変化し、プラス電荷が増加すると赤血球同士が結合し連鎖状となり、所謂どろどろ血流となるが、マイナス電位を付与された前記複数のピン導子電極部を肌の任意箇所に当接させて使用すると、皮膚下を流れる血管内の赤血球は強制的に負に帯電されることにより、さらさら血流に変化し、健康が維持され、結果として老化遅延につながる。
【００２４】
赤血球が強制的に負に帯電されることにより、同じくシアル酸で覆われ陰性荷電している細菌の進入を防ぐ働きを持っているため、病気、疫病等の予防に効果を発揮する。
【００２５】
前記握持電極部と前記ピン導子電極部間に前記低周波電気信号が印可されるが、前記低周波信号重畳手段によって、第１の低周波信号に第２の低周波信号、又は第３の低周波信号が重畳されて出力された低周波電気信号のマイナス電位のピーク値がプラス電位のピーク値より大きな低周波電気信号として生成されるよう構成されているので、
従来、低周波電気信号として０〜＋２５０Ｖなど一方向にのみ電流が長時間流れる場合には、電極が接触している肌に炎症を生じる恐れがあるが、本発明では肌に接触する両電極にはマイナス電位のピーク値とプラス電位のピーク値が適度な比率で印可される結果、肌に炎症を生ずる恐れは極めて少ない。
【００２６】
人体には臓器やその他の器官との密接な関連のあるつぼが多数あり、治療目的とするつぼの的確な位置が不明であっても、グリップ部に取り付けたピン導子電極部は複数のピン導子電極が植設されているため、グリップ部を握って肌の任意箇所を圧接すれば、自然と目的とするつぼを含めて刺激することができる。
【００２７】
前記低周波信号生成手段が、人の呼吸周期に同期した矩形波状の第１の低周波信号を生成しているので、
前記握持電極部と前記ピン導子電極部間に印加された第１の低周波電気信号による体感刺激により、自然と呼吸周期に同期した腹式呼吸を誘発することとなり、意識せずとも腹式呼吸が行われる結果、腹部を取り巻く腹横筋、背骨の横の突起から背骨の上につながっている多裂筋、呼吸をコントロールする横隔膜、及び肛門周囲で骨盤の底にある骨盤底筋群の４つの筋肉が同時に刺激され、筋力トレーニングが行われ老化を遅延させることができる。
【００２８】
前記低周波信号生成手段が、１Ｈｚ〜２００Ｈｚの矩形波状の低周波電気信号を生成しているので、前記グリップ部の握持電極部とピン導子電極部間に印加することにより、グリップ部に取り付けたピン導子電極部を圧接した、特に手の甲、頭、顔、首、肩、足などの人体表面下の筋肉、神経を刺激すると同時にトリートメントを行うことができ、またマイナス電位による血行促進が図られ、かつ痛みを和らげることができる。
【００２９】
前記低周波信号重畳手段が、４００Ｈｚ〜６００Ｈｚの重畳波信号を生成しているので、
グリップ部に取り付けたピン導子電極部を圧接した人体の腹部など体内の深部筋のトリートメントを行うことができ、同時に、マイナス電位による血行促進が図られ、かつ痛みを和らげることができる。
【００３０】
さらに、前記ピン導子電極部とグリップ部の握った手に当接する握持電極部が配設されているので、
同じグリップ部に配設された前記握持電極部と前記ピン導子電極部間に前記低周波電気信号を印加すれば、右手でグリップ部を握り、左の手の甲、又は肌の任意箇所にピン導子電極部を圧接すれば足裏導子電極部を使用せずに目的とするつぼを含めて刺激することができる。
【００３１】
勿論、左手でグリップ部を握れば、足裏導子電極部を使用せずに右の手の甲の目的とするつぼを含めて刺激することができる。
【００３２】
〈４〉前記〈１〉及び〈２〉項の効果に加えて、
前記低周波信号生成手段が、前記低周波信号重畳手段をそれぞれ有するマイナス電位生成手段と、プラス電位生成手段を備え、
前記マイナス電位生成手段から出力された低周波電気信号を前記ピン導子電極部に印可し、前記プラス電位生成手段から出力された低周波電気信号を前記足裏導子電極部に印加しているので、
人の肌の任意箇所に圧接された前記ピン導子電極部からマイナス電荷が与えられると、皮膚下を流れる血管内の赤血球は強制的に負に帯電され、その結果、血流改善と共に電気パルス信号による心地よい体感刺激を与えることができ、この刺激感は神経細胞を通じ大脳皮質の細胞に伝達され、活性化が図られ老化遅延に役立つ。
【００３３】
〈５〉前記〈１〉及び〈３〉項の効果に加えて、
前記低周波信号生成手段が、前記低周波信号重畳手段をそれぞれ有するマイナス電位生成手段と、プラス電位生成手段を備え、
前記マイナス電位生成手段から出力された低周波電気信号を前記ピン導子電極部に印可し、前記プラス電位生成手段から出力された低周波電気信号を前記握持電極部に印加しているので、
前記足裏導子電極部を使用せずに、片手でグリップ部を握って身体の任意箇所にピン導子電極部を当てるだけで血流改善と共に電気パルス信号による心地よい体感刺激を与えることができ、この刺激感は神経細胞を通じ大脳皮質の細胞に伝達され、活性化が図られ老化遅延に役立つ。
【００３４】
〈６〉前記〈１〉〜〈５〉項の効果に加えて、
前記低周波信号重畳手段が、前記第１の低周波信号に第２の低周波信号、又は第３の低周波信号の任意の１周波数、又は複数の周波数の組み合わせで重畳して
いるので、
グリップ部に取り付けたピン導子電極部を圧接した人体表面下、又は人体の腹部など体内深部などのトリートメントを、又は複数の周波数を選択し任意の間隔で交互に重畳された低周波電気信号による複合したトリートメントも行うことができ、また、全体的にマイナス電位による血行促進が図られ、かつ痛みを和らげることができる。
【００３５】
〈７〉前記〈１〉〜〈５〉項の効果に加えて、
前記低周波信号重畳手段が、前記第１の低周波信号に第２の低周波信号と第３の低周波信号を交互に重畳するよう構成されているので、
グリップ部に取り付けたピン導子電極部を圧接した人体表面下、人体の腹部など体内深部などを同時にトリートメントを行うことができ、かつ全体的に血行促進が図られ、さらに痛みを和らげることができる。
【００３６】
〈８〉前記〈１〉〜〈７〉項の効果に加えて、
前記低周波信号重畳手段が、前記重畳する低周波信号のマイナス電位のピーク値とプラス電位のピーク値とが所定の比率を保ってレベル制御された低周波電気信号を出力するよう構成されているので、
従来のように、低周波電気信号として０〜＋２５０Ｖなど一方向にのみ電流が長時間流れる場合には、電極が接触している肌に炎症が生じる恐れがあるが、本発明では肌に接触する両電極には適度なマイナス電位のピーク値とプラス電位のピーク値の比率で印可される結果、肌に炎症を生ずる恐れは極めて少ない。
【００３７】
〈９〉前記〈１〉〜〈７〉項の効果に加えて、
前記低周波信号重畳手段が、前記重畳する低周波信号のマイナス電位のピーク値とプラス電位のピーク値との比率を７：３に保ってレベル制御された低周波電気信号を出力するよう構成されているので、
従来のように、低周波電気信号として０〜＋２５０Ｖなど一方向にのみ電流が長時間流れる場合には、電極が接触している肌に炎症が生じる恐れがあるが、本発明では肌に接触する両電極にはマイナス電位のピーク値とプラス電位のピーク値が７：３の比率で印可される結果、肌に炎症を生ずる恐れは極めて少ない。
【００３８】
〈１０〉前記老化遅延装置が、前記足裏導子電極部と前記ピン導子電極部間に印加する前記低周波電気信号の電位のバランスを制御するためのバランス制御手段を備え、
前記低周波信号重畳手段が、前記バランス制御手段によってそれぞれの低周波電気信号の出力信号レベルを制御して出力するよう構成されているので、
前記足裏導子電極部と前記ピン導子電極部間、又は前記握持電極部と前記ピン導子電極部間に前記低周波電気信号を印可したとき、どちらかの電極の接触部分に加わる電気的刺激が強く感じたり、又は弱く感じた場合に前記バランス制御手段のバランス制御器によって電気的刺激度を同レベルに制御できる。
【００３９】
〈１１〉前記老化遅延装置が、赤、緑、青に発光する発光体のいずれか１色、又は複数色を選択してその輝度をそれぞれ制御できる照明手段を備え、
前記照明手段が、前記第１の低周波信号の出力レベルに応じて発光体の輝度を制御できるので、
人体の神経系では、可視光は網膜において符号化され、外側膝状体を経て大脳皮質において処理されるので、赤、緑、青の発光体の各色単独、又は混合色を視覚情報として発光し、かつこの視覚情報を第１の低周波パルス刺激のレベルに応じて変化させ大脳皮質部の後頭部にある視覚細胞に伝達され刺激することができるので、低周波電気信号による刺激と相まって細胞は活性化され、かつ腹式呼吸が誘発されるため筋肉のトリートメントも行われ老化を遅延させることができる。
【００４０】
〈１２〉前記老化遅延装置が、音源手段としての再生手段、又は録音・再生手段と、拡声手段を備え、
前記第１の低周波信号に音源手段の再生出力信号を重畳して音声出力信号となし、かつ該重畳する音声出力信号を前記第１の低周波信号の出力レベルに応じて音声出力レベルを制御可能にしているので、
自然界で発せられる音波として、波の音、風の音、虫の声、心臓の鼓動などは生体に快感を与えるとされ、この技法を応用した癒しの音などを録音しておき、低周波電気信号による刺激を身体に与えると同時に癒しの音などを聴覚情報として再生し、かつこの聴覚情報を第１の低周波パルス刺激のレベルに応じて変化させた効果音が大脳皮質部の側頭部にある聴覚野の細胞に伝達され刺激することができるので、低周波電気信号による刺激と相まって大脳皮質部の細胞は活性化され、かつ腹式呼吸が誘発されるため筋肉のトリートメントも行われ老化を遅延させることができる。
【００４１】
〈１３〉前記グリップ部が、前記ピン導子電極部に低周波数の機械的振動を与える振動波発生手段を備えているので、
低周波電気信号による刺激、聴覚情報及び視覚情報による刺激によって大脳皮質部の細胞が活性化されることと相まって、グリップ部のピン導子電極部部に低周波数の機械的振動を与えることによって皮膚面、各部位のつぼをマッサージすることによるトリートメントを行うことができる。
【図面の簡単な説明】
【００４２】
【図１】本発明老化遅延装置実施例の回路系統図
【図２】本発明老化遅延装置実施例の第１の低周波信号に第２の低周波信号及び第３の低周波信号が所定の間隔で重畳されたモード１の低周波電気信号出力波形図
【図３】本発明老化遅延装置実施例の各手段の出力信号及び低周波電気信号出力波形図
【図４】本発明老化遅延装置実施例の照明信号出力及び音響信号出力波形図
【図５】本発明老化遅延装置実施例の外観斜視図
【図６】本発明老化遅延装置実施例のグリップ部断面図
【発明を実施するための最良の形態】
【００４３】
図１において、１は老化遅延装置、２は低周波信号生成手段、３は第１の低周波信号発生手段、４は第２の低周波信号発生手段、５は第３の低周波信号発生手段、６はモード切替スイッチ、７はマイナス電位生成手段、８はプラス電位生成手段、９は直流電圧制御手段、１０は低周波信号重畳手段、１１は出力レベル調整器、１２、１３は出力接栓、１４はピン導子電極、１５はピン導子電極部、１６はグリップ部、１７はマイクロモータ、１８は握持電極部、１９は足裏導子電極部、２０は照明手段、２１は音響手段、２２はバランス制御手段、２２’はバランス制御器、２３はバイブレーション制御手段、２４は拡散板、２５はピラミッド状拡散板、２６はコットン、２７はコットン取付枠、２８は弾性材、２９はスプリング、３０は振動子、３１はコード、３２はスピーカ、３３は電源スイッチ、３４は色光切替スイッチ、３５は音量調整器、３６はバイブレーション調整器、Ｃ、Ｃは電解コンデンサ、Ｔ１、Ｔ２は低周波トランス、ＴＲ１、ＴＲ２はパワートランジスタである。
【００４４】
図１において、老化遅延装置１は、低周波信号生成手段２の出力接栓１２から接続コードで接続された複数のピン導子電極１４を植設してなるピン導子電極部１５が配設されたグリップ部１６と、同様に出力接栓１３から接続コードで接続された本実施例図では２個の足裏導子電極部１９と、両電極部に低周波電気信号を生成し供給する低周波信号生成手段２と、視覚情報として発光する照明手段２０、及び聴覚情報を提供する音源手段２１で構成されている。
【００４５】
図において、老化遅延装置１の低周波信号生成手段２は、
人の呼吸周期に同期した低周波信号を生成する第１の低周波信号発生手段３と、１Ｈｚ〜２００Ｈｚの低周波信号から１５Ｈｚ、４０Ｈｚ及び１００Ｈｚ選択し生成する第２の低周波信号発生手段４と、４００Ｈｚ〜６００Ｈｚの低周波信号から５００Ｈｚを選択し生成する第３の低周波信号発生手段５と、前記第２の低周波信号発生手段４及び第３の低周波信号発生手段５から出力された低周波信号をそれぞれ単独、又は任意の間隔で混合した低周波信号を切り替えて出力するモード切替スイッチ６と、それぞれに組み込まれた直流電圧制御手段９、９と、低周波トランスＴ１、Ｔ２を含む低周波信号重畳手段１０、１０とを備えたマイナス電位生成手段７と及びプラス電位生成手段８の２回路と、それぞれの前記低周波トランスＴ１、Ｔ２の２次側に接続された出力レベル調整器１１と、該出力レベル調整器１１の摺動子に接栓を介して接続されたピン導子電極部１５と握った手に当接する握持電極部１８が配設された１個のグリップ部１６、及び２個の足裏導子電極部１９と、上記第１〜３の各低周波信号発生手段他を制御するＣＰＵ部とで構成されている。
【００４６】
前記第１の低周波信号発生手段３は、ＣＰＵ部から低周波のパルス信号を入力して人の呼吸周期に同期した矩形波状の第１の低周波信号を生成し、マイナス電位生成手段７の直流電圧制御手段９に入力される。
【００４７】
同様に、前記第１の低周波信号発生手段３で生成された人の呼吸周期に同期した矩形波状の第１の低周波信号をプラス電位生成手段８の直流電圧制御手段９に入力される。
【００４８】
矩形波状の第１の低周波信号は、それぞれの前記直流電圧制御手段９に入力された直流電圧を前記第１の低周波信号でスイッチング動作する図示しないパワートランジスタ回路に加えられ、その出力は低周波トランスＴ１、Ｔ２の１次側巻き始めに加えられる。前記パワートランジスタ回路の負荷側には適当な電解コンデンサＣ、Ｃがアース間に接続され、パルスの立ち上がりは積分された適切な上向きの円弧状となり、パルスの立ち下がりは下向きの円弧状に波形成形される。    
【００４９】
低周波トランスの１次側巻き終わりとアース間にはパワートランジスタＴＲ１、ＴＲ２が接続されて低周波信号重畳手段１０、１０を形成し、パワートランジスタＴＲ１、ＴＲ２のベースには第２の低周波信号発生手段４と第３の低周波信号発生手段５からモード切替スイッチ６を介して矩形波状の低周波信号が加えられスイッチング動作することにより、前記第１の低周波信号に第２、第３の低周波信号が重畳された低周波電気信号が出力波形として得られる。
【００５０】
前記マイナス電位生成手段７の低周波トランスＴ１の入力側：出力側の巻き線比は１０：７であり、前記低周波トランスＴ１の２次側に生じた低周波重畳信号は−７０％レベルの低周波電気信号としてピン導子電極１４に加えられる。
【００５１】
また、前記プラス電位生成手段８の低周波トランスＴ２の入力側：出力側の巻き線比は１０：３であり、前記低周波トランスＴ２の２次側に生じた低周波重畳信号は＋３０％レベルの低周波電気信号として足裏導子電極部１９に加えられる。
【００５２】
前記足裏導子電極部１９とピン導子電極部１５間の電圧は０〜１５０Ｖの可変範囲があり、出力レベル調整器１１によって電気的刺激度を各自の好みの強さに調整して出力する。
【００５３】
低周波信号重畳手段１０、１０のパワートランジスタＴＲ１、ＴＲ２のベースに加えられた前記第２、第３の低周波信号は、人体に与える刺激方法に準じてモード切替スイッチ６によってそれぞれ単独、又は任意の間隔で交互に重畳された低周波電気信号となり、それぞれ出力接栓１２、出力接栓１３に加えられる。
【００５４】
第２の低周波信号は、人体に与える刺激方法に準じた低周波電気信号として、人の手の甲、頭、顔、首、肩等のトリートメントに効果があるとされる１５Ｈｚと、人のボディ（深部を除く）、足、手等のトリートメントに効果があるとされる４０Ｈｚ、及び１５Ｈｚ又は４０Ｈｚの電気的刺激感が弱く感じる場合には１００Ｈｚのいずれかを選択した低周波電気信号を、又は複数の周波数を選択し任意の間隔で交互に重畳された低周波電気信号を与えることもできる。
【００５５】
さらに、人体の深部筋のトリートメントに効果があるとされる５００Ｈｚの第３の低周波信号を単独、又は第２の低周波信号と任意の間隔で交互に加えて低周波電気信号とする。
【００５６】
以上のことから、前記モード切替スイッチ６の動作は、モード１とモード２があり、モード１は、Ｌｏｗ、Ｍｉｄｄｌｅ、Ｈｉｇｈの３つのモードがある。
モード１（Ｌｏｗ）は、        １５Ｈｚ＝１．３秒／１５０Ｖ、
５００Ｈｚ＝０．３秒／１００Ｖの交互出力、
モード１（Ｍｉｄｄｌｅ）は、  ４０Ｈｚ＝１．３秒／１５０Ｖ、
５００Ｈｚ＝０．３秒／１００Ｖの交互出力、
モード１（Ｈｉｇｈ）は、    １００Ｈｚ＝１．３秒／１５０Ｖ、
５００Ｈｚ＝０．３秒／１００Ｖの交互出力であり、
モード２は、                ５００Ｈｚ＝０．２秒／１５０Ｖ、
５００Ｈｚ＝０．４秒／１００Ｖの交互出力、つまり周波数は一定で、出力電圧が交互に変化する。
【００５７】
図２に老化遅延装置実施例の第１の低周波信号に第２の低周波信号及び第３の低周波信号が所定の間隔で重畳されたモード１の低周波電気信号出力波形図を示す。
即ち、人の呼吸周期に同期した第１の低周波信号に、１５Ｈｚ、４０Ｈｚ又は１００Ｈｚの第２の低周波信号と、５００Ｈｚの第３の低周波信号が所定の間隔で重畳され、その低周波電気信号出力レベルは０Ｖを基準として、プラス側に３０％、マイナス側に７０パーセントの比率となっている。
上記各周波数値は、一例であり任意の周波数を選択し組み合わせて低周波電気信号としてもよい。
【００５８】
図３は本発明老化遅延装置実施例の各低周波信号発生手段、直流電圧制御手段の出力信号及び低周波電気信号出力波形を示す。
図の（ａ）は呼吸周期に同期した第１の低周波信号波形であり、図の（ｂ）は１５Ｈｚ、４０Ｈｚ、１００Ｈｚ、又は５００Ｈｚ等の低周波信号を生成する第２の低周波信号及び第３の低周波信号出力波形であり、図の（ｃ）は直流電圧制御手段９の出力信号波形であり、図の（ｄ）は低周波信号重畳手段１０からピン導子電極１４及び足裏導子電極部１９へ出力される低周波電気信号波形を示す。
ここで、前記図の（ｄ）の低周波電気信号波形図は、重畳された第２の低周波信号又は第３の低周波信号が微分された場合の波形を示す。
【００５９】
低周波電気信号の出力レベルは、低周波トランスＴ１、Ｔ２それぞれの２次側巻き線の両端に接続された出力レベル調整器１１の摺動子を摺動することによって制御できる。
なお、出力レベル調整器１１は２連式ボリュームで前記ピン導子電極部１５と足裏導子電極部１９に加える電圧値を同時に制御できる。
【００６０】
前記足裏導子電極部１９と前記ピン導子電極部１５間、又は前記握持電極部１８と前記ピン導子電極部１５間に印加する前記低周波電気信号の電位のバランスを制御するためのバランス制御手段２２は、各々の前記直流電圧制御手段９に入力される直流電圧値を制御することにより最終的に出力される低周波電気信号のマイナス電位値とプラス電位値を−７０％：＋３０％にとらわれることなく適切な比率で制御することができる。
【００６１】
即ち、前記足裏導子電極部１９と前記ピン導子電極部１５間、又は前記握持電極部１８と前記ピン導子電極部１５間に前記低周波電気信号を印可したとき、どちらかの電極が人体の接触部分に加わる電気的刺激を強く感じたり、又は弱く感じた場合に前記バランス制御手段２２の図示しないバランス制御器２２’によって電気的刺激度を同レベルに制御できる。
【００６２】
前記照明手段２０は、前記第１の低周波信号発生手段３から入力された人の呼吸周期に同期した低周波信号によって、赤、緑、青に発光する発光体のいずれか１色、又は複数色を選択してその輝度をそれぞれ制御でき、前記低周波電気信号の出力レベルに応じて発光体の輝度を変化させている。
【００６３】
即ち、腹式呼吸法で、人が空気を吸い込むときは発光体の輝度を徐々に高め、吐くときは徐々に輝度を低めていくとよい。
具体的には、吸うときは約３秒かけて徐々に輝度を高め、吐くときは約４．５秒かけて徐々に輝度を低めていく。
【００６４】
人体の神経系では、可視光は網膜において符号化され、外側膝状体を経て大脳皮質において処理されるので、赤、緑、青の発光体の各色単独、又は混合色を視覚情報として発光し、かつこの視覚情報を第１の低周波パルス刺激のレベルに応じて変化させ大脳皮質部の後頭部にある視覚細胞に伝達され刺激することができるので、低周波電気信号による刺激と相まって細胞は活性化され、かつ腹式呼吸が誘発されるため筋肉のトリートメントも行われ老化を遅延させることができる。
【００６５】
音源手段２１は、半導体メモリを利用した再生手段、又は録音・再生手段と、スピーカによる拡声手段を備え、
上記照明手段２０と同様に、前記第１の低周波信号発生手段３から入力された人の呼吸周期に同期した低周波信号によって、再生音の強弱を変化させる。
【００６６】
即ち、腹式呼吸法で、人が空気を吸い込むときは再生音の強さを徐々に高め、吐くときは徐々に再生音を低めていくとよい。
具体的には、吸うときは約３秒かけて徐々に再生音を強め、吐くときは約４．５秒かけて徐々に再生音を低めていく。
【００６７】
自然界で発せられる音波として、波の音、風の音、虫の声、心臓の鼓動などは生体に快感を与えるとされ、この技法を応用した癒しの音などを録音しておき、低周波電気信号による刺激を身体に与えると同時に癒しの音などを聴覚情報として再生し、かつこの聴覚情報を第１の低周波パルス刺激のレベルに応じて変化させた効果音が大脳皮質部の側頭部にある聴覚野の細胞に伝達され刺激することができるので、低周波電気信号による皮膚の刺激と相まって大脳皮質部の細胞は活性化され、かつ腹式呼吸が誘発されるため筋肉のトリートメントも行われ老化を遅延させることができる。
【００６８】
図４は照明信号波形、音響信号波形の実施例図であり、図（ａ）は呼吸周期に同期した第１の低周波信号波形であり、図（ｂ）は低周波信号重畳手段１０からピン導子電極１４及び足裏導子電極部１９へ出力される低周波電気信号波形であり、図（ｃ）は前記低周波電気信号に同期して出力される低レベルから徐々に増加した後に徐々に減衰する照明信号波形であり、図（ｄ）は同様に前記低周波電気信号に同期して出力される音声信号が重畳された音響信号波形を示す。
それぞれ照明手段２０と音源手段２１の制御に使用される。
【００６９】
図５の外観斜視図に基づいて老化遅延装置１の使用方法について記述する。
出力接栓１２にピン導子電極部１５が配設されたグリップ部１６のプラグを接続し、出力接栓１３に足裏導子電極部１９のプラグを接続した後に、治療目的に合わせてモード切替スイッチ６でモード１のＬ（Ｌｏｗ）、Ｍ（Ｍｉｄｄｌｅ）、Ｈ（Ｈｉｇｈ）のいずれかを選択し施術する。
【００７０】
これは、前準備としてモード１で施術するということは、予めレベルの低い５００Ｈｚに慣らせておくことと、５００Ｈｚを脳に記憶させることを目的としている。
【００７１】
老化遅延装置１の電源スイッチ３３をオンとし電源表示ランプが点灯したことを確認後、１又は２個の足裏導子電極部１９上に適度な湿り気を帯びさせた図示しないコットン等を介して足裏をそれぞれ載置し、グリップ部１６を手で握り人体表面の任意の位置にピン導子電極部１５を押し当てる。
【００７２】
しかる後に、本体前面の出力レベル調整器１１出力レベルをゆっくり時計方向へ回して、それぞれ身体に当接した電極部の電気的刺激度を好みのレベルに調整し、同時に、両電極部の電気的刺激度が同レベルの体感刺激になるようにバランス制御器２２’バランスを調整する。
【００７３】
必要に応じて、色光切替３４を赤、緑、青のいずれか好みの位置にする。
老化遅延装置１の上部は拡散板２４が配設されているので、選択された赤、緑、青のいずれかのの照明光がほぼ均等に見えるように照明される。
【００７４】
照明光は、人の呼吸周期に同期した前記第１の低周波信号の出力レベルに応じて発光体の輝度を変化させているが、腹式呼吸法に準じて、人が空気を吸い込むときは再生音の強さを徐々に高め、吐くときは徐々に再生音を低めていくようにしてもよい。
【００７５】
照明手段２０の色光切替３４は、赤、緑、青の原色の他、それぞれの色の混色でイエロー、シアン又はマゼンタ色を加えてもよい。
【００７６】
また、老化遅延装置１の上部に前記拡散板２４の代わりに着脱可能なピラミッド状拡散板２５を載置してもよい。
【００７７】
さらに、音源手段２１の音量調整器３５音量を時計方向へ回すと、半導体メモリ等に録音された静かな音、音楽等の再生音がスピーカ３２から流れる。
【００７８】
前記スピーカ３２から流れる再生音は、前記第１の低周波信号の出力レベルに応じて音の大きさを変化させているが、腹式呼吸法に準じて人が空気を吸い込むときは再生音の強さを徐々に高め、吐くときは徐々に再生音を低めていくようにしてもよい。
【００７９】
前記ピン導子電極部１５によるトリートメント時間は、電源スイッチＯＮと同時に任意の時間に設定されたタイマーが働き、タイマースタート後設定された時間に到達すると自動的に電源がオフされる。
【００８０】
図６のグリップ部１６の断面図について、老化遅延装置１に接続された樹脂成形のグリップ部１６は、その先端で下部側に向けて配設された複数のピン導子電極１４が植設されたピン導子電極部１５と、前記複数のピン導子電極１４を覆うように着脱可能なコットン２６及びコットン取付枠２７と、前記ピン導子電極部１５の上部に固着されたマイクロモータ１７と、グリップ部１６の上部外周に貼着された握持電極１８とで構成されている。
【００８１】
前記コットン２６を水で湿らせてから前記コットン取付枠２７でピン導子電極１４に圧接し、皮膚面とピン導子電極１４間の導通インピーダンスを下げ電気的接触を良好にして任意の皮膚面に当接することによって肌のトリートメントができる。
【００８２】
前記ピン導子電極部１５は、該ピン導子電極部１５下部面とグリップ部１６ケース下部内部面間に配設されたゴム等の弾性材２８と、前記ピン導子電極部１５上部面に植設された４本の支柱にスプリング２９がはめ込まれ、該スプリング２９はピン導子電極部１５上部面とグリップ部１６ケース内壁面間で支えられている。
したがってピン導子電極部１５はグリップ部１６ケースに固定されず浮遊状態であり、かつスプリング２９によって常にグリップ部１６ケース下部内部面方向に付勢されている。
【００８３】
前記ピン導子電極部１５の振動は、前記ピン導子電極部１５の上部面に固着されたマイクロモータ１７の回転軸の先端に取り付けた略半円状の振動子３０（ヘビーメタル製分銅）を高速回転することによって得られる。
【００８４】
前記ピン導子電極部１５は、前記スプリング２９によって常にグリップ部１６ケース下部内部面方向に付勢されており、よって前記グリップ部１６のピン導子電極部１５をマイクロモータ１７の高速回転により振動することによるバイブレーション効果が得られる。
【００８５】
前記振動子３０の回転数は、バイブレーション制御手段２３のバイブレーション調整器のつまみバイブ３６によってマイクロモータ１７に供給する直流電圧を制御することによって変化させている。
【００８６】
グリップ部１６上部面に貼着された握持電極１８は、老化遅延装置１のプラス電位生成手段８の出力レベル調整器１１の摺動端子から接栓１２を介してコード３１で供給され、前記足裏導子電極１９と同じプラス電位に荷電されている。
【００８７】
したがって、前記足裏導子電極部１９を使用せず、グリップ部１６のみでピン導子電極部１５と握持電極１８間に低周波電気信号を印加することによりマッサージ効果、老化遅延効果及びトリートメント効果を発揮することができる。
【産業上の利用可能性】
【００８８】
足裏に当接する１又は２個の足裏導子電極部と、足裏以外の肌の任意箇所に当接して使用できる複数のピン導子電極を植設してなるピン導子電極部が配設されたグリップ部と、前記足裏導子電極部と前記ピン導子電極部間に人の呼吸周期に同期した矩形波状の第１の低周波信号と、該第１の低周波信号に第２の低周波信号、又は第３の低周波信号を重畳し低周波電気信号とし、前記重畳する低周波信号のマイナス電位のピーク値がプラス電位のピーク値より大きな低周波電気信号として生成し出力されているので、赤血球を負に帯電させて血流を促進すると同時に低周波電気信号による刺激を神経を介して大脳皮質に伝達し、大脳皮質の機能低下（老化）を抑制できる老化遅延装置を提供できる。
【符号の説明】
【００８９】
１：老化遅延装置
２：低周波信号生成手段
３：第１の低周波信号発生手段
４：第２の低周波信号発生手段
５：第３の低周波信号発生手段
６：モード切替スイッチ
７：マイナス電位生成手段
８：プラス電位生成手段
９：直流電圧制御手段
１０：低周波信号重畳手段
１１：出力レベル調整器
１２、１３：出力接栓
１４：ピン導子電極
１５：ピン導子電極部
１６：グリップ部
１７：マイクロモータ
１８：握持電極部
１９：足裏導子電極部
２０：照明手段
２１：音響手段
２２：バランス制御手段
２３：バイブレーション制御手段
２４：拡散板
２５：ピラミッド状拡散板
２６：コットン
２７：コットン取付枠
２８：弾性材
２９：スプリング
３０：振動子
３１：コード
３２：スピーカ
３３：電源スイッチ
３４：色光切替スイッチ
３５：音量調整器
３６：バイブレーション調整器
Ｃ、Ｃ：電解コンデンサ
Ｔ１、Ｔ２：低周波トランス
ＴＲ１、ＴＲ２：トランジスタ
【図１】
2013146369.tif 000003
【図２】
2013146369.tif 000004
【図３】
2013146369.tif 000005
【図４】
2013146369.tif 000006
【図５】
2013146369.tif 000007
【図６】
2013146369.tif 000008